(57)【要約】      （修正有）【課題】離れた場所を照らすだけでなく足元も明るくできるトーチライトを提供する。【解決手段】ＬＥＤ１２からの光が照射される前方側１Ａと、ＬＥＤ１２を駆動するための電池ケースＵ４が挿脱される後方側１Ｂとが、光透過性樹脂により一体形成された外観部材１と、前方側１Ａと後方側１Ｂを仕切るために外観部材１の内面に形成された取り付けリブ１ｃと、ＬＥＤ１２が搭載される発光部Ｕ１と、ＬＥＤ１２を駆動するための回路部Ｕ２を一体化した発光ユニットＵ３と、この発光ユニットＵ３に設けられ電池ケースＵ４の電源端子３３と接触する接続端子部とを備え、取り付けリブ１ｃには、発光ユニットＵ３を位置決めするための位置決め穴と、発光ユニットＵ３を後方側１Ｂからネジ結合するための結合用穴とが形成されている。【選択図】図２
0003136073.tif 000002
【実用新案登録請求の範囲】
【請求項１】
発光素子からの光が照射される前方側と、発光素子を駆動するための電池ケースが挿脱される後方側とが、光透過性樹脂により一体形成された外観部材と、
前方側と後方側を仕切るために外観部材の内面に形成された取り付けリブと、
発光素子が搭載される発光部と、発光素子を駆動するための回路部を一体化した発光ユニットと、
この発光ユニットに設けられ電池ケースの電源端子と接触する接続端子部と、を備え、
前記取り付けリブには、発光ユニットを位置決めするための位置決め穴と、発光ユニットを後方側からネジ結合するための結合用穴とが形成されていることを特徴とするトーチライト。
【請求項２】
前記発光部は、放熱用ヒートシンクと、このヒートシンクの前面側に取り付けられるＬＥＤ基板と、ＬＥＤの前面側を覆うレンズと、を備えており、回路部を構成するカバー部材に対して、ヒートシンクを間に挟持した状態でＬＥＤ基板をネジ結合していることを特徴とする請求項１に記載のトーチライト。
【請求項３】
発光ユニットを構成するケース部材を樹脂で成形すると共に、前記ネジ結合用の金属製雌ねじ部材が、インサート成形によりケース部材に一体成形されていることを特徴とする請求項１又は２に記載のトーチライト。
【請求項４】
電池ケースは円筒状の外観形状を有すると共に、接点部は、円筒軸に位置する第１電源端子と、この第１電源端子から所定の半径距離の位置にある第２電源端子とを備え、
前記回路部に設けられた電源接続部は、円筒軸に位置する第１接続端子と、円筒軸を中心としたリング状に形成される第２接続端子とを備え、
電池ケースを装着したとき、第１電源端子と第１接続端子が接続され、第２電源端子と第２接続端子が接続されるように構成されていることを特徴とする請求項１〜３のいずれか１項に記載のトーチライト。
【請求項５】
電池ケースは円筒状の外観形状を有すると共に、接点部は、円筒軸に位置するコイルスプリングにより構成される第１電源端子と、この第１電源端子から所定の半径距離の位置にあるリング状の第２電源端子とを備え、
前記回路部に設けられた電源接続部は、円筒軸に位置する第１接続端子と、円筒軸から前記半径距離の位置にあるリング状部材により構成される第２接続端子とを備えると共に、第２接続端子には、前記リング状部材に一体形成されバネ性を有する複数の接点が形成されており、
電池ケースを装着したとき、第１電源端子と第１接続端子が接続され、第２電源端子と第２接続端子の前記複数の接点が接続されるように構成されていることを特徴とする請求項１〜３のいずれか１項に記載のトーチライト。
【請求項６】
前記第１接続端子と第２接続端子の間にリング状の突出部が形成されていることを特徴とする請求項４又は５に記載のトーチライト。
【請求項７】
電池ケースが装着される外観部材の後方側内面に、外観部材よりも光透過性の低いシートが装着されていることを特徴とする請求項１〜６のいずれか１項に記載のトーチライト。
【請求項８】
外観部材の電池ケースが挿脱される端部に底蓋を設け、底蓋に一体形成される雄ネジに螺合する雌ネジ部材を外観部材の端部に圧入していることを特徴とする請求項１〜７のいずれか１項に記載のトーチライト。
【請求項９】
外観部材の前方側は前方に行くほど径が大きくなる円錐台形状を少なくとも有すると共に、後方側はこの円錐台形状につながる円筒形状を有し、かつ、垂直に設置できるように、円錐台形状の先端が同一面に形成されていることを特徴とする請求項１〜８のいずれか１項に記載のトーチライト。
【考案の詳細な説明】
【技術分野】
【０００１】
本考案は、懐中電灯としてだけでなく、非常灯、室内インテリアムードランプなどとしても使用できるトーチライトに関するものである。
【背景技術】
【０００２】
一般的に使用されている懐中電灯は、離れた場所を照らす目的と使用されている。しかし、夜道を歩く場合など、離れた場所を照らしている間は、足元が暗くなるため、安全性や利便性の面で十分なものではなかった。
【考案の開示】
【考案が解決しようとする課題】
【０００３】
本考案は上記実情に鑑みてなされたものであり、その課題は、離れた場所を照らすだけでなく足元も明るくできるトーチライトを提供することである。
【課題を解決するための手段】
【０００４】
上記課題を解決するため本考案に係るトーチライトは、
発光素子からの光が照射される前方側と、発光素子を駆動するための電池ケースが挿脱される後方側とが、光透過性樹脂により一体形成された外観部材と、
前方側と後方側を仕切るために外観部材の内面に形成された取り付けリブと、
発光素子が搭載される発光部と、発光素子を駆動するための回路部を一体化した発光ユニットと、
この発光ユニットに設けられ電池ケースの電源端子と接触する接続端子部と、を備え、
前記取り付けリブには、発光ユニットを位置決めするための位置決め穴と、発光ユニットを後方側からネジ結合するための結合用穴とが形成されていることを特徴とするものである。
【０００５】
かかる構成によるトーチライトの作用・効果を説明する。まず、前方側と後方側とからなる外観部材が設けられており、発光素子は前方側に、電池ケースは後方側に配置される。この外観部材は、光透過性樹脂により形成され、発光素子から照射される光は、前方へ向かうだけでなく、外観部材自身を透過することができるので、足元にも光を導くことができる。また、外観部材の前方側と後方側を光透過性樹脂で一体形成する場合、内部に搭載される部品の組立が容易にできるように工夫する必要がある。
【０００６】
本考案では、外観部材の前方側と後方側を仕切るための内面に取り付けリブを形成し、この取り付けリブに対して発光ユニットを位置決めすると共に、ネジ結合も行なうことができる。上記の構成であれば、外観部材を樹脂成形で製造することが可能になり、コストの面でも有利となる。以上のように、離れた場所を照らすだけでなく足元も明るくできるトーチライトを提供することができる。
【０００７】
本考案に係る発光部は、放熱用ヒートシンクと、このヒートシンクの前面側に取り付けられるＬＥＤ基板と、ＬＥＤの前面側を覆うレンズと、を備えており、回路部を構成するカバー部材に対して、ヒートシンクを間に挟持した状態でＬＥＤ基板をネジ結合していることが好ましい。
【０００８】
発光部として、放熱用のヒートシンクにＬＥＤ基板を取り付けるようにすることで、ＬＥＤとして例えば超高輝度ＬＥＤを用いることができる。従って、離れた場所と足元の両方を照らすのに十分な光量を得ると共に、放熱効果も十分にすることができる。これらの発光部を回路部にネジ結合することで、組立時における取り扱いも容易になる。
【０００９】
本考案において、発光ユニットを構成するケース部材を樹脂で成形すると共に、前記ネジ結合用の金属製雌ねじ部材が、インサート成形によりケース部材に一体成形されていることが好ましい。
【００１０】
発光ユニットを構成するケース部材を樹脂で成形する場合、樹脂に対して直接ネジ結合する方法も考えられる。しかし、この場合は、耐衝撃性の点で十分ではなく、ネジが緩んできたりする問題が生じる。そこで、雌ねじ部材は金属製とし、これをインサート成形でケース部材と一体化することで、耐衝撃性など、機械的な強度を十分に確保することができる。
【００１１】
本考案において、電池ケースは円筒状の外観形状を有すると共に、接点部は、円筒軸に位置する第１電源端子と、この第１電源端子から所定の半径距離の位置にある第２電源端子とを備え、
前記回路部に設けられた電源接続部は、円筒軸に位置する第１接続端子と、円筒軸を中心としたリング状に形成される第２接続端子とを備え、
電池ケースを装着したとき、第１電源端子と第１接続端子が接続され、第２電源端子と第２接続端子が接続されるように構成されていることが好ましい。
【００１２】
電池ケースは円筒状の外観形状を有しているため、外観部材の内部に装着しようとするとき、円筒軸まわりに回転可能な状態になる。電池ケースの接点部には、電源供給をするために電源端子が設けられるが、電池ケースが外観部材内で回転可能であるため、電池ケース側の電源端子の位置が定まらない。電池ケースを挿入するに際し方向性を持たせる（特定の位相でのみ装着可能とする）方法もあるが、挿脱性を損ねる。そこで、上記のように電源端子と接続端子を構成することで、電池ケースの回転状態に関わらず確実に電源端子と接続端子を正しく接続することができる。
【００１３】
本考案において、電池ケースは円筒状の外観形状を有すると共に、接点部は、円筒軸に位置するコイルスプリングにより構成される第１電源端子と、この第１電源端子から所定の半径距離の位置にあるリング状の第２電源端子とを備え、
前記回路部に設けられた電源接続部は、円筒軸に位置する第１接続端子と、円筒軸から前記半径距離の位置にあるリング状部材により構成される第２接続端子とを備えると共に、第２接続端子には、前記リング状部材に一体形成されバネ性を有する複数の接点が形成されており、
電池ケースを装着したとき、第１電源端子と第１接続端子が接続され、第２電源端子と第２接続端子の前記複数の接点が接続されるように構成されていることが好ましい。
【００１４】
この構成によると、上記と同様に、電池ケースの回転状態に関わらず確実に電源端子と接続端子を正しく接続することができる。また、第1電源端子としてコイルスプリングを使用することで十分な接点圧力を確保することができる。同様に、第２接続端子としてバネ性を有する複数の接点を設けているので、同様に十分な接点圧力を確保することができる。
【００１５】
本考案において、前記第１接続端子と第２接続端子の間にリング状の突出部が形成されていることが好ましい。
【００１６】
かかる突出部を設けることで、第１接続端子と第２接続端子の短絡を確実に防止することができる。
【００１７】
本考案において、電池ケースが装着される外観部材の後方側内面に、外観部材よりも光透過性の低いシートが装着されていることが好ましい。
【００１８】
外観部材を光透過性樹脂で形成しているので、電池ケースを装着した場合に、外観から電池ケースが見えることになる。そこで、後方側内面に光透過性の低いシートを装着することで、外観から電池ケースが見えることを防止し、デザイン性を向上させることができる。
【００１９】
本発明において、外観部材の電池ケースが挿脱される端部に底蓋を設け、底蓋に一体形成される雄ネジに螺合する雌ネジ部材を外観部材の端部に圧入していることが好ましい。
【００２０】
電池ケースを挿脱するための底蓋をネジで螺合する場合、外観部材にもネジを形成する必要がある。しかし、外観部材を樹脂成形で形成する場合、ネジを一体成形することが難しい。そこで、外観部材とは別部材の雌ネジ部材を設けて、外観部材の端部に圧入させることで、底蓋をネジで螺合させることができる。また、雌ネジ部材を別に設けることで、外観にネジ部分が見えないように隠すことができる。
【００２１】
本考案において、外観部材の前方側は前方に行くほど径が大きくなる円錐台形状を少なくとも有すると共に、後方側はこの円錐台形状につながる円筒形状を有し、かつ、垂直に設置できるように、円錐台形状の先端が同一面に形成されていることが好ましい。
【００２２】
外観部材をかかる形状にすることで、トーチライトを床面、テーブルなどの平面上に垂直に立てることができ、インテリアムードランプとしても使用することができる。
【考案を実施するための最良の形態】
【００２３】
本考案にかかるトーチライトの好適な第１実施形態を図面を用いて説明する。図１は、トーチライトの外観構成を示す斜視図である。
【００２４】
＜第１実施形態＞
【００２５】
外観部材１は、ポリカーボネートなどの光透過性樹脂を成形することで形成されるものであり、前方側１Ａと後方側１Ｂにより構成される。前方側１Ａは、前端側へいくほど末広がり（径が大きくなる）の円錐台形状を有しており、途中から直径が一定の円筒形状になっている。後方側１Ｂは、前方側１Ａと同じ円筒形状を有している。前方側１Ａと後方側１Ｂとは、光透過性樹脂により一体成形される。
【００２６】
前方側１Ａは、発光素子である超高輝度ＬＥＤからの光が照射される側であり、後方側１Ｂは、電池ケースなどが収容される側である。光は、外観部材１の前端部１ａから前方へと照射されるが、外観部材１が光透過性を有することから、外観部材１自身を光が透過し、側方からも光が漏れる仕組みとなっている。これにより、このトーチライトを懐中電灯として使用する場合は、離れた場所を照らすだけでなく、足元も照らすことができる。また、光源として超高輝度ＬＥＤを使用しており、十分な光量を確保することができる。
【００２７】
後方側１Ｂの後端部には、底蓋２がネジにより着脱され、底蓋２を取り外しことで電池ケースの挿脱を行なうことができる。
【００２８】
図２は、トーチライトの内部構造を示す断面図であり、図３は、部品の結合状態を示すための分解斜視図である。図４は、発光ユニットの全体構成と組立構造を示す斜視図である。図５は、発光ユニットの構成を示す分解斜視図である。図６は、電極の接続構成を示す図である。
【００２９】
図２に示すように、外観部材１の前方側１Ａは、前端部に行くほど肉薄に形成されるが、後方側１Ｂはほぼ均一な肉厚で形成される。後方側１Ｂの後端部は、底蓋２をネジ結合するために部分的に肉薄となっている。
【００３０】
また、前方側１Ａと後方側１Ｂとを仕切るための取り付けリブ１ｃが一体成形されている。この取り付けリブ１ｃは、外観部材１の内壁面からリング状に突出する形で成形されている。この取り付けリブ１ｃには、６つの孔が等間隔に形成されており、そのうちの３つが位置決め用孔１ｄであり、残りの３つがネジ結合用孔１ｅである。位置決め用孔１ｄとネジ結合用孔１ｅとは、円周方向において交互に配置されている。
【００３１】
次に超高輝度ＬＥＤが搭載される発光部Ｕ１と、この発光部Ｕ１を駆動するための回路部Ｕ２について説明する。これら発光部Ｕ１と回路部Ｕ２は、一体化されて発光ユニットＵ３として機能する。
【００３２】
発光部Ｕ１は、放熱用のヒートシンク１０と、素子搭載用の回路基板１１と、超高輝度ＬＥＤ１２（以下、ＬＥＤと省略）と、レンズ１３から構成されるものである。ヒートシンク１０は、放熱性を高めるためにアルミニウムにより形成され、その前面側に回路基板１１が配置される。ヒートシンク１０は、外観部材１の内面と接する側壁部１０ａを有しており、外観からＬＥＤ１２が見えないようにしている。側壁部１０ａの内面に、レンズ１３が取り付けられる。レンズ１３は、ＬＥＤ１２の全面に位置する球面状に形成されたレンズ部１３ａと、レンズ部１３ａの周囲に設けられた取り付け部１３ｂとを備えており、この取り付け部１２ｂに、側壁部１０ａに形成された凹部１０ｂと係合する凸部１３ｃが一体形成されている。なお、この凹凸の関係は逆にしてもよい。
【００３３】
回路部Ｕ２には、外部操作可能な操作ボタン２０と、この操作ボタン２０により内部のスイッチ２１を動作させる。この操作ボタン２０は、ＬＥＤ１２の明るさを強弱切換するために設けられている。
【００３４】
回路部Ｕ２は、２つのケース部材２２，２３の内部にＬＥＤ１２を点灯制御するための電気回路が組み込まれる。これらのケース部材２２，２３には、ネジ結合用の袋孔２２ａ，２３ａが形成されている。これを利用して、発光部Ｕ１を２本のネジ１４により結合する。これにより、発光部Ｕ１と回路部Ｕ２とを一体化した発光ユニットＵ３にすることができる。
【００３５】
回路部Ｕ２に発光部Ｕ１を結合する際には、まず、ヒートシンク１０と回路基板１１を重ねた状態にして、ヒートシンク１０を挟持した状態で、回路基板１２をネジ１４により結合する。その後に、レンズ１３を圧入（スナップ結合）によりヒートシンク１０に対して取り付けることができる。
【００３６】
なお、発光部Ｕ１と回路部Ｕ２とを一体化したとき、図２に示すように、両者の間には空間部Ｓが形成され、断熱効果を持たせている。これにより、熱が回路部Ｕ２の方向に伝達しにくいようにしている。
【００３７】
次に、電池ケースＵ４の構成を説明する。電池ケースＵ４は、全体的に円筒状に形成されており、乾電池が装着される電池収容部３０と、電池収容部３０の一端側に取り付けられ、電源端子が設けられる接点部３１と、電池収容部３０の他端側に取り付けられる底部３２とが結合もしくは一体成形されている。
【００３８】
接点部３１は円板状に形成されており、図６に示すように（＋）の第１電源端子３３と（−）の第２電源端子３４とが設けられている。第１電源端子３３は、ちょうど円筒軸に位置しており、バネ３５により突出する方向に付勢されている。第２電源端子３４は、第１電源端子３３から半径ｒだけ離れた位置にある。第２電源端子３４も同様に不図示のバネにより突出方向に付勢されている。第１・第２電源端子３３，３４は、先端が球面形状に形成されたピンにより形成されている。
【００３９】
一方、これらの電源端子３３，３４と接続される回路部Ｕ２の電源接続部の構成を説明する。図６（ｂ）に示すように、円筒軸に位置する第１接続端子２４と、円筒軸から半径ｒだけ離れたリング状の第２接続端子２５とが設けられている。この構成により、電池ケースＵ４を装着したとき、電池ケースＵ４が円周方向において任意に回転したとしても、第１電源端子３３と第１接続端子２４は、どちらも円筒軸上にあるため確実に電気接続される。また、第２電源端子３４と第２接続端子２５も同じ半径位置にあるため、第２電源端子３４がどの位置にあろうが確実に電気接続される。従って、電池ケースＵ４を装着するときに回転方向における方向性を気にする必要がない。
【００４０】
なお、本実施形態では、第２接続端子２５のほうをリング状に形成しているが、電池ケースＵ４側の第２電源端子３４をリング状に形成し、第２接続端子２５の方をピンで形成してもよい。また、第１接続端子２４と第２接続端子２５の間には、突出部２６を形成させ、これにより、両者の不用意な短絡を防止することができる。
【００４１】
次に、発光ユニットＵ３の取り付けリブ１ｃに対する取り付け構成について説明する。図４に示すように、回路部Ｕ２のケース部材２２，２３には、位置決め用の突起２７とネジ結合用の袋穴２８が夫々３つずつ形成されている。これら突起２７と袋穴２８の配置は、取り付けリブ１ｃに形成された位置決め用孔１ｄとネジ結合用孔１ｅの配置と対応している。
【００４２】
そこで、組み立てる際には、外観部材１の前方側１Ａから発光ユニットＵ３を挿入し、３つの位置決め用孔１ｄに、３つの突起２７を挿入させる。これにより、発光ユニットＵ３の回転方向の位置が決まる。次に、後方側１Ｂからネジ２９をネジ結合用孔１ｅから挿入し３箇所結合される。これにより、発光ユニットＵ３が取り付けリブ１ｃに固定される。
【００４３】
電池ケースＵ４の底部３２には、図２に示すように、フランジ３２ａが形成されている。このフランジ３２ａの径は、接点部３１の外径寸法よりも大きくなるように設定されている。また、外観部材１の後端部１ｂには、段差部１ｆが形成されており、フランジ３２ａはこの位置で止まるように設定されている。従って、電池ケースＵ４の前後を逆にして装着しようとしても、フランジ３２ａの部分で引っかかるため装着することはできない。これにより、常に正しい方向に電池ケースＵ４を装着可能に構成している。
【００４４】
電池ケースＵ４が装着される後方側１Ｂの内壁面には、目隠しシート３が装着されており、光を透過させない材質もしくは光透過性が外観部材１よりも低い材質により形成される。これにより、外観から電池ケースＵ４が見えないようにされる。
【００４５】
底蓋２の外周面には雄ネジ２ａが一体形成される。また、底蓋２を開閉操作するための溝２ｂが外観側に形成される。底蓋２の内側には、電池ケースＵ４の全体を電源接続部の方向に付勢するためのコイルバネ４が装着されている。
【００４６】
また、後方側１Ｂの後端部１ｂには、雌ネジ部材５が圧入により取り付けられ、この雌ネジ部材５には、底蓋２の雄ネジ２ａと螺合する雌ネジ５ａが形成されている。外観部材１を樹脂成形する場合、この位置に雌ネジを一体成形することがむつかしいため、別部材である雌ネジ部材５により雌ネジを設けるようにしている。また、この雌ネジ部材５により、外観からネジ部分が見えないようにすることもできる。
【００４７】
以上のような構成によるトーチライトは、懐中電灯として使用する場合は、離れた場所だけでなく、足元を照らすこともでき便利である。また、非常灯として使用する場合は、遠くから自分を目立たせることができる。また、外観部材１の先端が同一面に形成されるため、図７に示すように立てて使用することができ、室内のインテリアムードランプとして使用することもできる。
【００４８】
＜第２実施形態＞
次に、第２実施形態にかかるトーチライトの構成を図８〜図１２により説明する。図８は、トーチライトの内部構造を示す断面図である。第１実施形態と異なる点を中心に説明する。また、第１実施形態で説明した部材と同じ機能をするものについては、同じ図番を付すことにより機能に関する説明は省略する。
【００４９】
まず、発光部Ｕ１の構成について説明する。ヒートシンク１０の側部にリング状の溝１０ｃが形成されており、ここにＯリング１５が挿入される。このＯリング１５により、ヒートシンク１０と外観部材１の内壁面との間から水が浸入することを防止し、防水機能を持たせることができる。
【００５０】
さらに、ヒートシンク１０の前面側にも、Ｏリング１６を介してレンズ１３が取り付けられ、回路基板１１へ水が浸入することを防止する。レンズ１３は、平板形状の近い形状を有しており、ヒートシンク１０のほぼ全面をカバーしており、防塵機能も兼ね備えている。
【００５１】
図９は、発光部Ｕ１と回路部Ｕ２を結合した状態で後方から見た斜視図である。ケース部材２２のスイッチ２１が配置される箇所に、部分的に平面部２２ｂが形成される。この平面部２２ｂにスイッチ２１の被押圧部２１ａが露出している。この被押圧部２１ａを操作ボタン２０により押圧することでスイッチ２１を作動させることができる。
【００５２】
また、ネジ２９で結合するために、袋穴の代わりに金属製の雌ねじ部材２８ａがケース部材２２，２３内に埋め込まれている。このような雌ねじ部材２８ａは、インサート成形により、樹脂製のケース部材２２，２３に埋め込むことができる。回路基板１１をネジ１４で結合するための雌ねじ部材２８ａ（図８参照）も同様にインサート成形により埋め込むことができる。
【００５３】
図１０は、操作ボタン２０の近傍の外観部材２の構成を示す図である。（ａ）は成形するときのゲート２ｄを示す図であり、ボタン孔２ｃの中心位置にゲート２ｄが設けられ、ゲート２ｄを中心に放射方向全域に樹脂が流れていくように設計されている。この成形時に形成される薄肉のプレート部分２ｅは製品としては不要であるので、成形後、上方からのプレスにより除去することでボタン孔２ｃが形成される。このような成形方法を採用することでウェルドを防止して、外観品質を高めることができる。
【００５４】
図１０（ｃ）は、操作ボタン２０を組み立てた状態を示す断面図である。操作ボタン２０は、ゴム製であり、係止部２０ａをボタン孔２ｃの段差部分に係止させることで、操作ボタン２０を保持させることができる。操作ボタン２０の表面は、外観部材２の表面とほぼ面一に設定される。また、操作ボタン２０の中心軸には、押圧部２０ｂが形成されており、スイッチ２１の被押圧部２１ａに作用する。かかる操作ボタン２０の構成を採用することで、防水性を高めることができる。
【００５５】
次に、図１１により電池ケースＵ４の構成を説明する。（ａ）は組立完了状態を示し、（ｂ）は接点部３１の側を部分的に分解した状態を示す図である。第１電源端子３３は、コイルスプリングにより構成されており、その先端部が突出した状態で組み立てられている。コイルスプリングの根元側はホルダー本体３７に固定されている。コイルスプリングを用いることで接点圧力を十分に確保することができる。
【００５６】
第２電源端子３４は金属プレートを加工することで形成されるものであり、中央部に孔３４ａが形成され、周辺部にフランジ３４ｂが形成される。また、第２電源端子３４は孔３４ａが形成されるキャップ部分３４ｃがフランジ３４ｂよりも突出した状態に形成される。第２電源端子３４は、４つのネジ３６により、接点部３１と共に、ホルダー本体３７にネジ結合される。
【００５７】
接点部３１は、第１電源端子３３を突出させるための孔３１ａと、キャップ部分３４ｃが被せられる突出部３１ｂと、第２電源端子３４により取り付けられる取り付け部３１ｃとを備えている。
【００５８】
次に、図１２により電極の接続構造を説明する。電池ケースＵ４の側は、図１２（ａ）に示すように、第１電源端子３３を構成するコイルスプリングの中心から半径ｒだけ離れた位置に第２電源端子３４が設けられている。
【００５９】
これらの電源端子３３，３４と接続される回路部Ｕ２の電源接続部の構成を説明すると、図１２（ｂ）に示すように、円筒軸に位置する第１接続端子２４と、円筒軸から半径ｒだけ離れたリング状の第２接続端子２５とが設けられている。第２接続端子２５は、平面視でリング状に形成されていると共に、１８０゜点対称的に２ヶ所、切り出し接点２５ａが一体形成されている。この切り出し接点２５ａは、電池ケースＵ４の側に突出した凸部に形成され、電池ケースＵ４の第２電源端子３４により押圧されることで弾性変形可能に構成されている。これにより、十分な接点圧力を保持している。
【００６０】
また、第２電源端子３４と第２接続端子２５も同じ半径位置にあるため、第２電源端子３４がどの位置にあろうが確実に電気接続される。従って、電池ケースＵ４を装着するときに回転方向における方向性を気にする必要がない。
【００６１】
＜別実施形態＞
本実施形態において、電源端子は中央が（＋）電極にしているが、どちらを（＋）にするかは任意である。
【００６２】
光透過性樹脂の光透過度は適宜設定できるものである。光透過性樹脂の色についても適宜決めることができる。
【図面の簡単な説明】
【００６３】
【図１】トーチライトの外観構成を示す斜視図
【図２】トーチライトの内部構造を示す断面図
【図３】部品の結合状態を示すための分解斜視図
【図４】発光ユニットの全体構成と組立構造を示す斜視図
【図５】発光ユニットの構成を示す分解斜視図
【図６】電極の接続構成を示す図
【図７】トーチライトを立てて使用する場合を示す図
【図８】第２実施形態に係るトーチライトの内部構造を示す断面図
【図９】発光部と回路部を結合した状態で後方から見た斜視図
【図１０】操作ボタンの近傍の外観部材の構成を示す図
【図１１】電池ケースの構成を示す図
【図１２】電極の接続構成を示す図
【符号の説明】
【００６４】
１        外観部材
１Ａ      前方側
１Ｂ      後方側
１ｃ      取り付けリブ
１ｄ      位置決め用孔
１ｅ      ネジ結合用孔
３        目隠しシート
５        雌ネジ部材
１０      ヒートシンク
１１      回路基板
１２      超高輝度ＬＥＤ
１３      レンズ
１４      ネジ
２４      第１接続端子
２５      第２接続端子
２６      突出部
２７      位置決め用突起
２８      ネジ結合用孔
３３      第１電源端子
３４      第２電源端子
ｒ        半径
Ｕ１      発光部
Ｕ２      回路部
Ｕ３      発光ユニット
Ｕ４      電池ケース
【図１】
0003136073.tif 000003
【図２】
0003136073.tif 000004
【図３】
0003136073.tif 000005
【図４】
0003136073.tif 000006
【図５】
0003136073.tif 000007
【図６】
0003136073.tif 000008
【図７】
0003136073.tif 000009
【図８】
0003136073.tif 000010
【図９】
0003136073.tif 000011
【図１０】
0003136073.tif 000012
【図１１】
0003136073.tif 000013
【図１２】
0003136073.tif 000014